(57)【特許請求の範囲】
【請求項１】
車両シート用の係止止め金具であって、シート部分に所属の固定の止め金部分（１０）、及びこれに対して揺動可能に支持されかつ背もたれに所属の止め金部分（１２）を有し、一方の止め金部分に、他方の止め金部分との係止位置及び係止解除位置へ半径方向に動かすことができる少なくとも１つのロック棒（１７）が設けられており、このロック棒が、伝達部材とともに背もたれ調節装置（１７，２０，２１）を形成しており、この背もたれ調節装置が、操作レバー（２７）に作用結合され、背もたれ調節装置（１７，２０，２１）に、所望の調節可能な背もたれ傾斜を記憶するメモリ装置（３０，３１，３４，３７；３４，６５，６６）、及び分離した操作要素（４５）によって解除可能な任意揺動装置（４３，４７；６４，７０，７１）が付属しているものにおいて、メモリ装置（３０，３１，３４，３７；３４，６５，６６）及び任意揺動装置（４３，４７；６４，７１）が、その間に背もたれ調節装置（１７，２０，２１）を囲む両方の止め金部分（１０，１２）の外側のうち一方の外側に設けられていることを特徴とする、車両シート用の係止止め金。
【請求項２】
メモリ装置（３０，３１，３４，３７；３４，６５，６６）、及び任意揺動装置（４３，４７；６４，７１）が、揺動可能な止め金部分（１２）から固定の止め金部分（１０）への力伝達流の外に設けられていることを特徴とする、請求項１に記載の係止止め金。
【請求項３】
メモリ装置（３０，３１，３４，３７；３４，６５，６６）、及び任意揺動装置（４３，４７；６４，７１）が、ユニットとして止め金部分（１０，１２）の外側に取り付け可能であることを特徴とする、請求項１又は２に記載の係止止め金。
【請求項４】
メモリ装置が、ストッパ円板（３０；６５）及びこれを固定する係止つめ（３４）から形成されており、係止方向に負荷をかけられかつ回転支持された係止つめ（３４）が、背もたれ調節装置も解除する操作レバー（２７）によってロック解除可能であることを特徴とする、請求項１ないし３の１つに記載の係止止め金。
【請求項５】
ストッパ円板（３０）が、背もたれの前方揺動方向に力蓄積器負荷を受けており、係止つめ（３４）が、固定の止め金部分（１０）に関して定置に回転支持され、かつ係止方向にばね負荷を受けていることを特徴とする、請求項４に記載の係止止め金。
【請求項６】
操作レバー（２７）が、解除アダプタ（２４）に接続されており、解除アダプタ（２４）が、背もたれ調節装置（１７，２０，２１）の伝達部材（２２，２３）に回らないように結合されていることを特徴とする、請求項１ないし５の１つに記載の係止止め金。
【請求項７】
解除アダプタ（２４）に、操作レバー（２７）に接触可能な解除指（２５）、及び分離した操作要素（４５）によって操作可能な揺動アーム（４３）から作用を受けることができる解除親指（２６）が配置されていることを特徴とする、請求項１ないし６の１つに記載の係止止め金。
【請求項８】
操作部材（２７）に回らないように、解除アダプタ（２４）に接触可能でありかつ解除指（２５）として使われるストッパ（８５）が配置されており、分離した操作要素（４５）によって操作可能な揺動アーム（４３）が、解除親指（２６）として使われる連行ピン（６１）によって解除アダプタ（２４）に作用することを特徴とする、請求項１ないし７の１つに記載の係止止め金。
【請求項９】
操作レバー（２７）が、制御突起（２８）を有し、この制御突起が、この制御突起の外し運動の際に、揺動アーム（４３）に関節接合されたゲートレバー（４７）を、ゲートレバー（４７）に作用結合された係止つめ（３４）を外す方向に動かすことを特徴とする、請求項８に記載の係止止め金。
【請求項１０】
操作レバー（２７）が、制御突起として使われるストッパ（８７）を回らないように有し、このストッパが、このストッパの外し運動の際に、連行レバー（８８，９５）を介してゲート円板（６６）を、係止つめ（３４）を外す方向に動かすことを特徴とする、請求項１ないし９の１つに記載の係止止め金。
【請求項１１】
固定の止め金部分（１０）に結合された基礎板（２９）に揺動支持された係止つめ（３４）が、ピン（３５）によって、ゲートレバー（４７）のゲート（４８）に噛み合っており、このゲートレバーが制御曲線（４９）を有し、この制御曲線を介して操作レバー（２７）の制御突起（２８）が、この制御突起の外し行程の際に、係止つめ（３４）を解除することを特徴とする、請求項１ないし１０の１つに記載の係止止め金。
【請求項１２】
制御円板（６４）に揺動可能に支持された係止つめ（３４）が、ピン（３５）によって、ゲート円板（６６）のゲート案内部（７６）内に噛み合っており、ゲート案内部が、係止つめ（３４）をその釈放位置に揺動することを特徴とする、請求項１ないし１１の１つに記載の係止止め金。
【請求項１３】
基礎板（２９）が、そのばね負荷のために前方揺動方向に行なわれるストッパ円板（３０）の運動を制限するために保持突起（３９）を有することを特徴とする、請求項１ないし１２の１つに記載の係止止め金。
【請求項１４】
基礎板（２９）に支持された係止つめ（３４）、これにより係止位置に保持されるストッパ円板（３０）、及びばね負荷を受けてストッパ円板（３０）を保持しかつリングばね（３８）として構成された力蓄積器が、基礎板（２９）とカバー板（４０）との間に形成される中空空間（４１）内に配置されており、カバー板（４０）が、背もたれに所属の止め金部分（１２）に結合されていることを特徴とする、請求項１ないし１３の１つに記載の係止止め金。
【請求項１５】
カバー板（４０）が、メモリ調節のために所望の傾斜位置に背もたれを戻し揺動する際に、その力蓄積器負荷に抗してストッパ円板（３０）を回転連行するために、ストッパ円板（３０）の揺動経路内に突出したストッパ（４２）を有することを特徴とする、請求項１ないし１４の１つに記載の係止止め金。
【請求項１６】
ストッパ円板（３０）が、外歯を有する係止セグメント（３１）を有し、この係止セグメントの半径方向内方に引っ込んだ端面（３２）が、一方において基礎板（２９）の保持突起（３９）のためかつ他方においてカバー板（４０）のストッパ（４２）のためのストッパ段部を形成していることを特徴とする、請求項１ないし１５の１つに記載の係止止め金。
【請求項１７】
操作レバー（２７）及び操作要素（４５）の運動の際、背もたれ調節装置（１７，２０，２１）がロック解除可能であることを特徴とする、請求項１ないし１６の１つに記載の係止止め金。
【請求項１８】
メモリ装置が、係止円板（６５）及びゲート円板（６６）によって形成されており、このゲート円板を係止つめ（３４）が制御し、係止円板（６５）が、揺動可能な止め金部分（１２）と一緒に可動であることを特徴とする、請求項１ないし１７の１つに記載の係止止め金。
【請求項１９】
係止つめ（３４）の揺動運動が、回転可能なゲート円板（６６）を介して制御可能であり、係止つめ（３４）の支持位置（３３）から離れて配置されたピン（３５）が、ゲート円板（６６）に配置されたゲート案内部（７６）内に噛み合うことを特徴とする、請求項１ないし１８の１つに記載の係止止め金。
【請求項２０】
ゲート円板（６６）、及び係止つめ（３４）のための揺動支持位置（３３）を有する制御円板（６４）が、ばね（７４）によってその回転運動において互いに初応力を受けて保持されていることを特徴とする、請求項１ないし１９の１つに記載の係止止め金。
【請求項２１】
操作レバー（２７）が、中間部材（８６）を回らないように支持し、この中間部材が、突起（８５）によって、解除アダプタ（２４）の延長部（８３）の弧状の切り欠き（８４）内に、これを一緒に回転するように噛み合っており、中間部材（８６）が、ストッパ（８７）を有し、このストッパが、連行レバー（８８，９５）を動かし、この連行レバー自身を介してゲート円板（６６）が回転可能であることを特徴とする、請求項１ないし２０の１つに記載の係止止め金。
【請求項２２】
係止手段（８８，９５，９０，１０１；７１，８１，８２）が、初期位置から選択的に、メモリ装置又は任意揺動装置のための操作運動のうちの一方だけを可能にすることを特徴とする、請求項１ないし２１の１つに記載の係止止め金。
【請求項２３】
３つの位置すなわち２つの係止位置及び初期位置を占める揺動可能な連行レバー（８８，９５）が、それぞれの係止位置において、任意揺動装置又はメモリ装置の調節運動のうちの一方を係止し、一方初期位置において、任意揺動装置又はメモリ装置が操作可能であることを特徴とする、請求項１ないし２２の１つに記載の係止止め金。
【請求項２４】
連行レバー（８８，９５）が、固定の止め金部分（１０）に付属の保持ピン（７２）に揺動可能に支持されていることを特徴とする、請求項１ないし２３の１つに記載の係止止め金。
【請求項２５】
連行レバー（９５）が、２つの脚（９１，９２）を有するアングルレバー（８８）として形成されており、このアングルレバーが、その一方の脚（９１）によって、任意揺動装置の運動を、かつ他方の脚（９２）によって、メモリ装置を操作する運動を係止することを特徴とする、請求項１ないし２４の１つに記載の係止止め金。
【請求項２６】
任意揺動装置及びメモリ装置を制御するために、背もたれの回転軸上に軸線方向に互いに並んで回転可能な３つの円板（６４，６５，６６）、すなわち制御円板（６４）、係止円板（６５）及びゲート円板（６６）が設けられており、揺動可能な止め金部分（１２）に回らないように結合された係止円板（６５）が、その周に歯部（７７）を備え、この歯部に、揺動可能な係止つめ（３４）に配置された歯つめ（３６）が噛み合っており、制御円板（６４）が、一方において係止つめ（３４）のための支持ピン（３３）を有し、かつ他方において歯状の切り欠き（６９）を有し、この切り欠き内に、固定の止め金部分（１０）に付属の保持ピン（７２）の回りで揺動可能なロックつめ（７１）の歯（７０）が噛み合い、ゲート円板（６６）が、ゲート案内部（７６）を装備しており、このゲート案内部内に、係止つめ（３４）のピン（３５）が噛み合い、ゲート円板（６６）及び制御円板（６４）が、互いにばね負荷（７４）を受け、かつ回転可能であることを特徴とする、請求項１ないし２５の１つに記載の係止止め金。
【請求項２７】
ゲート円板（６６）が、高所（９４）を有し、連行レバーの揺動の際にゲート円板（６６）を制御円板（６４）に対して回転するために、この高所に、連行レバー（８８，９５）の突起（９３）が接触することを特徴とする、請求項１ないし２６の１つに記載の係止止め金。
【請求項２８】
操作要素（４５）を釈放する際の任意揺動運動の際に、ロックつめ（７１）の歯（７０）が、ばね力を受けて制御円板（６４）の周面上において静止することを特徴とする、請求項１ないし２７の１つに記載の係止止め金。
【請求項２９】
ロックつめ（７１）が、固定ピン（８２）を有し、任意揺動運動を可能にするために、この固定ピンに、操作要素（４５）から揺動アーム（４３）を介して操作可能な連結部（８１）が関節状に配置されていることを特徴とする、請求項１ないし２８の１つに記載の係止止め金。
【請求項３０】
固定ピン（８２）が、アングルレバー（８８）の第２の脚（９２）のためのストッパとして、ロックつめ（７１）の運動を係止するために使われることを特徴とする、請求項１ないし２９の１つに記載の係止止め金。
【請求項３１】
揺動可能なロックつめ（７１）及び連行レバー（９５）が、ばね（９６）の力によって互いに接するように保持されていることを特徴とする、請求項１ないし３０の１つに記載の係止止め金。
【請求項３２】
連行レバー（８８）が案内面（８９）を有し、この案内面が高所（９４）を、操作レバー（２７）の運動の際にゲート円板（６６）と一緒に動かすことを特徴とする、請求項１ないし３１の１つに記載の係止止め金。
【請求項３３】
操作レバー（２７）の運動の際に、メモリ装置のためのストッパ（８７）が、ゲート円板（６６）を回転するために連行レバー（８８，９５）を揺動し、同時に操作部材の中間レバー（８６）の突起（８５）が、解除アダプタを動かすことを特徴とする、請求項１ないし３２の１つに記載の係止止め金。
【請求項３４】
操作要素（４５）に負荷をかけた際の任意揺動運動の際、選ばれたメモリ位置を越えて、自動車シートの背もたれが、揺動範囲全体にわたって可動であることを特徴とする、請求項１ないし３３の１つに記載の係止止め金。
【発明の詳細な説明】
【０００１】
本発明は、シート部分に所属の固定の止め金部分、及びこれに対して揺動可能に支持されかつ背もたれに所属の止め金部分を有し、その際、一方の止め金部分に、他方の止め金部分との係止位置にかつその外に半径方向に動かすことができる少なくとも１つのロック棒が設けられており、このロック棒が、伝達部材とともに背もたれ調節装置を形成しており、この背もたれ調節装置が、操作レバーに作用結合され、背もたれ調節装置に、所望の調節可能な背もたれ傾斜を記憶するメモリ装置及び分離した操作要素によって解除可能な任意揺動装置が付属している、車両シート用の、とくに自動車シート用の係止止め金に関する。
【０００２】
本出願人自身のドイツ連邦共和国特許第１９９０４３００．０号明細書は、例えばシート部分に所属の固定の止め金部分が案内突起を有し、これらの案内突起の間において直径上に対向する２つのロック棒が半径方向に動かすことができる、車両シートのための係止止め金を示している。これらの案内突起及びロック棒も、背もたれに結合された揺動可能な止め金部分の内歯を有するリング突起によって囲まれており、その際、外側歯部を有するロック棒は、この内歯を有するリング突起内に噛み合うことができ、かつその噛み合い位置において、両方の止め金部分を互いに係止している。ロック棒はピンを有し、これらのピンは、連行円板のゲート内に噛み合っており、この連行円板は、そのゲート形に基づいて、連行円板の相応する回転の際に、ロック棒を噛み合わせかつ外すことができる。噛み合い位置を達成しかつ確保するために、ばね負荷を受けたカム円板が使われ、このカム円板によってロック棒は、その係止位置に移され、かつカム円板のカムがロック棒に作用するかぎり、保持される。これらのロック棒を操作するために、カム円板及び連行円板は、特種プロファイルの穴を有し、この穴内に、外周においてプロファイル化された伝達要素が最終的に噛み合い、この伝達要素は、他方においてスリーブとして形成されており、かつ内周に同様にプロファイルを有し、このプロファイルは、トルクを伝達するように操作部材を収容している。このような係止止め金は、内歯を有するリング突起及び外歯を有するロック棒の歯ピッチが比較的小さいとき、迅速にかつ小さな段階において調節することができる。このような係止止め金は、乗用車の後部シートにさらに容易に乗り込むために、迅速に前方へかつ再び戻すように揺動することもできる。ただし前に存在した背もたれ位置は、このような背もたれ調節装置において正確に再び見付けることはできないので、シート利用者は、彼に都合のよい背もたれの傾斜位置を改めて調節しなければならない。
【０００３】
本発明の課題は、揺動位置から背もたれを戻し揺動する際に、前に調節した背もたれ傾斜位置を再び見付けることができ、係止止め金の確実かつ安価な操作及び容易な取付けが得られるように、このような係止止め金の背もたれ調節装置を改善することにある。
【０００４】
本発明によれば、この課題は、次のようにして解決される。すなわちメモリ装置及び任意揺動装置が、その間に背もたれ調節装置を囲む両方の止め金部分の外側のうち一方の外側に設けられている。これにより係止留め金具の容易かつわかり易い取付け及び確実な操作の可能性が生じ、装置及び保管も著しく簡単になる。
【０００５】
さらに本発明によれば、メモリ装置及び任意揺動装置が、揺動可能な止め金部分から固定の止め金部分への力伝達流の外に設けられていることは、望ましく、このようにして衝撃的な強力な負荷の際例えば衝突の際、全負荷が背もたれ調節装置によって引受けられるが、一方メモリ装置と任意揺動装置は、負荷を受けず、したがって損傷することはないことを保証するようにする。それにより任意揺動装置及びメモリ装置は過剰な寸法に構成する必要がないようになる。本発明の特別な実施例において、メモリ装置及び任意揺動装置は、ユニットとして止め金部分の外側に取り付け可能なので、例えば係止止め金の第１の部分がすでに完成取付けされており、かつそれから突然に本発明による装置及び装備を有するようにする係止止め金が望まれるとき、いつでも後からでもなお係止止め金の補充がかのうである。モジュール状の構造により、このように取付けは、容易にかつ望ましいコストでおこなうことができる。
【０００６】
メモリ装置の調節のために、これは、ストッパ円板及びこれを固定する係止つめから形成されており、かつ係止方向に負荷をかけられかつ回転支持された係止つめは、背もたれ調節装置も解除する操作レバーによってロック解除可能なので、容易な操作可能性が得られる。その際、ストッパ円板が、背もたれの前方揺動方向に力蓄積器負荷を受けており、かつ係止つめが、固定の止め金部分に関して定置に回転支持されており、かつ係止方向にばね負荷を受けていることが推奨され、このようにしてメモリ装置の所望の位置に対する簡単な発見能力を達成するようにする。
【０００７】
本発明の１つの実施例において、操作レバーは、解除アダプタに回転可能に接続されており、この解除アダプタは、背もたれ調節装置の伝達部材に回らないように結合されており、その際、解除アダプタに、操作レバーに接触可能な解除指、及び分離した操作要素によって操作可能な揺動アームから作用を受けることができる解除親指が配置されている。
【０００８】
本発明の別の実施例において、操作レバーに回らないように、解除アダプタに接触可能でありかつ解除指として使われるストッパが配置されており、かつ分離した操作要素によって操作可能な揺動アームは、解除親指として使われる連行ピンによって解除アダプタに作用する。両方の可能性において、所望の傾斜調節は容易に達成することができる。
【０００９】
両方の実施例において解除指及び解除親指によって、その配置に関する簡単な逆転によって種々の解決可能性が得られる。
【００１０】
この解除アダプタによって、背もたれを所望の傾斜位置に移すことができるようにするため、及びメモリ装置のストッパ円板をこの所望の背もたれ傾斜位置に追従させるために、背もたれ調節装置の止め金を外す以外に、操作レバーの外し運動の際に、係止つめも、メモリ装置のストッパ円板から外れることが保証されている。
【００１１】
それに反して操作レバー自体が外れることなく、分離した操作要素だけが操作される場合、係止つめの外れが行なわれないので、分離した操作要素のその外し位置に保持されるかぎり、ストッパ円板は、その調節された位置に残り、かつそれ故に背もたれの戻し揺動置運動は、前に調節された背もたれ傾斜位置にまで再び戻し揺動することができる。しかし解除アダプタが操作レバーによって動かすことができるようにするため、有利なように操作レバーは、制御突起を有し、この制御突起は、この制御突起の外し運動の際に、揺動アームに関節結合されたゲートレバーを、ゲートレバーに作用結合された係止つめを外す方向に動かす。係止つめのこの作用結合は、次のようにして達成することができる。すなわち固定の止め金部分に結合された基礎板に揺動支持された係止つめが、ピンによって、ゲートレバーのゲートに噛み合っており、このゲートレバーが、他方において制御曲線を有し、この制御曲線を介して操作レバーの制御突起が、この制御突起の外し行程の際に、係止つめを解除する。係止つめの外しの際に、ストッパ円板が、係止つめの噛み合い可能性の外にあるような位置にあることを避けるために、基礎板は、そのばね負荷のために前方揺動方向に行なわれるストッパ円板の運動を制限するために保持突起を有する。
【００１２】
係止つめ及びストッパ円板の保護された配置は、次のようにして有利に達成される。すなわち基礎板に支持された係止つめ、これにより係止位置に保持されるストッパ円板、及びばね負荷を受けてストッパ円板を保持しかつリングばねとして構成された力蓄積器が、基礎板とカバー板との間に形成される中空空間内に配置されており、その際、カバー板が、背もたれに所属の揺動可能な止め金部分に結合されている。その際、有利なようにカバー板は、メモリ調節のために所望の傾斜位置に背もたれを戻し揺動する際に、その力蓄積器負荷に抗してストッパ円板を回転連行するために、ストッパ円板の揺動経路内に突出したストッパを有する。メモリ装置の有利な形成は、次のようにして可能になる。すなわちストッパ円板が、外歯を有する係止セグメントを有し、この係止セグメントの半径方向内方に引っ込んだ端面が、一方において基礎板の保持突起のためかつ他方においてカバー板のストッパのためのストッパ段部を形成している。
【００１３】
本発明の特別な実施例において、操作レバー及び操作要素の運動の際、背もたれ調節装置はロック解除可能である。この処置により、任意揺動運動の際又は背もたれ調節の際に、シートの両方の係止止め金が可動なので、第２の係止止め金が背もたれ調節のための操作レバー又は任意揺動のための操作要素を必要とすることなく、背もたれの調節が容易に行なうことができることが保証されている。有利なようにメモリ装置は、係止円板及びゲート円板によって形成されており、このゲート円板を係止つめが制御し、その際、係止円板は、揺動可能な止め金部分と一緒に可動である。この処置によれば、本発明によるメモリ装置の簡単な構成及び取付けが得られ、とくに多くの費用なしに、メモリ装置を構成し、かつ制御することができる。
【００１４】
係止つめの揺動運動が、回転可能なゲート円板を介して制御可能であることは、推奨に値し、その際、係止つめの支持位置から離れて配置されたピンは、ゲート円板に配置されたゲート案内部内に噛み合うので、ゲート円板の回転の際、係止つめの揺動運動は容易に行なうことができ、とくに係止つめは、係止円板及びその歯部に抗して簡単に案内することができる。有利なようにゲート円板、及び係止つめのための揺動支持位置を有する制御円板は、ばねによってその回転運動において互いに初応力を受けて保持されており、それにより両方の円板は、ばねの作用を受けて互いに戻し回転可能なので、係止円板に抗した係止つめの自動的な戻しが可能である。
【００１５】
操作レバーが、中間部材を回らないように支持すれば望ましく、この中間部材は、突起によって、解除アダプタの延長部の弧状の切り欠き内に、これを一緒に回転するように噛み合っており、かつ中間部材は、ストッパを有し、このストッパは、連行レバーを動かし、この連行レバー自身は、操作レバーの操作の際に、ゲート円板を回転させる。解除アダプタの連行によって、−シートの両方の係止止め金において−背もたれ調節が可能にされ、その際、ゲート円板の回転によってこの時、背もたれ調節の新しい調節が与えられる。
【００１６】
本発明の特別な実施例において、係止手段は、初期位置から選択的に、メモリ装置又は任意揺動装置のための操作運動のうちの一方だけを可能にする。初めに操作される装置が優先権を有する。これらの係止手段は、無意識にではなく両方のレバーを同時に操作できることを可能にし、それにより場合によっては利用者にとって背もたれの傾斜に関して妨害が行なわれることがある。
【００１７】
３つの位置−２つの係止位置又は１つの初期位置−を占める揺動可能な連行レバーが、それぞれの係止位置において、任意揺動装置又はメモリ装置の調節運動のうちの一方を係止するが、一方初期位置において、選択的に任意揺動装置又はメモリ装置が操作可能である。簡単な連行レバーの選択によって、操作の困難を生じる恐れなく、装置の運動の選択的な調節を行なうことができる。
【００１８】
その際、連行レバーが、固定の止め金部分に付属の保持ピンに揺動可能に支持されていれば、このようにして連行レバーの正確な制御及び運動を行なうことができるようにするために、推奨に値する。その際、特別な実施例において、連行レバーは、２つの脚を有するアングルレバーとして形成されており、このアングルレバーは、その一方の脚によって、任意揺動装置の運動を、かつ他方の脚によって、メモリ装置を操作する運動を係止する。アングルレバーの形成によって、係止止め金の費用は減少する。なぜならそれによりきわめて利用者にとって快適なレバーの簡単な回転及び確実な操作が得られるからである。
【００１９】
本発明の特別な実施例において、任意揺動装置及びメモリ装置を制御するために、背もたれの回転軸上に軸線方向に互いに並んで回転可能な３つの円板が設けられており、制御円板、係止円板及びゲート円板が設けられている。揺動可能な止め金部分に回らないように結合された係止円板は、その周に歯部を備え、この歯部に、揺動可能な係止つめに配置された歯つめが噛み合っている。制御円板は、一方において係止つめのための支持ピンを有し、かつ他方において歯状の切り欠きを有し、この切り欠き内に、固定の止め金部分に付属の保持ピンの回りで揺動可能なロックつめの歯が噛み合っている。ゲート円板は、ゲート案内部を装備しており、このゲート案内部内に、係止つめのピンが噛み合い、その際、ゲート円板及び制御円板は、互いにばね負荷を受けて回転可能である。この構成において、メモリ装置及び任意揺動装置、及びそれどころか背もたれ調節装置の主要部分は、１つの軸上に互いに並んでいるので、正確な動作様式及び確実な操作が得られ、とりわけ容易な後からの取付けが得られる。前記の部分は、モジュール状に構成することができ、このようにして装置を容易に構成することができるようにする。利用者は、背もたれのそれぞれの揺動の後に、その利用者のもっとも望ましい背もたれ傾斜を見付ける。ゲート円板が高所を有することは有利であり、連行レバーの揺動の際にゲート円板を制御円板に対してばね張力を受けて回転するために、この高所に、連行レバーのストッパが接触する。この配置は、メモリ装置の調節能力を、とくにその構成に関して改善する。
【００２０】
操作要素を釈放する際の任意揺動運動の際に、ロックレバーの歯が、弾性的に制御円板の周面上において静止すると、操作要素をまだ操作することなく、このように簡単に揺動を行なえばよいので、有利である。戻し揺動の際、ロックレバーの歯は、自動的に制御円板の歯切り欠き内に噛み合い、このことは、利用者にとって簡単な取扱いをなしている。歯の噛み合いの際、この歯は、同時にその望ましい背もたれの傾斜調節を有する。
【００２１】
他方の側へ望まれる背もたれの揺動が望まれる場合、操作要素の保持又は操作要素の新たな操作によって、歯が切り欠きに噛み合うことを阻止することができる。その上さらに歯の弾性的な負荷は、所望の時に、歯状の切り欠き内への確実な自動的な噛み合いを可能にする。
【００２２】
ロックつめが、固定ピンを有し、任意揺動運動を可能にするために、この固定ピンに、解除レバーから操作可能な連結部が関節状に配置されていると、推奨に値し、その際、固定ピンは、アングルレバーの第２の脚のためのストッパとしても、背もたれの導入された調節運動の際のロックつめの運動を係止するために使われる。他方において任意揺動装置及び背もたれ調節装置の確実な操作が与えられる。
【００２３】
望ましいように、揺動可能なロックつめ及び連行レバーは、ばねの力によって互いに接するように保持されており、このようにしてその初期位置において連行レバーのための定義された位置を維持するようにする。
【００２４】
さらに連行レバーが案内面を有し、この案内面に、操作レバーのストッパが、その運動の際に作用すると有利であり、このようにして背もたれ調節のための運動を導入できるようにする。
【００２５】
操作レバーの運動の際に、操作部材のストッパが、傾斜調節のためのゲート円板を回転するために連行レバーを揺動すると、推奨に値する。同時に中間レバーの突起は、操作レバー及び解除アダプタを動かし、このようにして背もたれ調節の釈放を達成するようにする。
【００２６】
本発明の特別の実施例において、操作要素に負荷をかけた際の任意揺動運動の際、選ばれたメモリ位置を越えて、自動車シートの背もたれが、揺動範囲全体にわたって可動である。このようにして所望の傾斜位置がまだ呼出されていない場合、背もたれは、前から完全に後へ、又は後から前側の後へ揺動することができる。操作要素を釈放した際に初めて、所望の傾斜位置が調節される。
【００２７】
本発明を実施例において図面に示し、かつ次に詳細に説明する。
【００２８】
図１及び２からもっとも良好に引出すことができるように、固定の止め金部分１０は、取付け片１１に結合されており、この取付け片は、他方において車両シートの図示されていないシート部分フレームに接続することができる。この固定の止め金部分１０に、背もたれに所属の揺動可能な止め金部分１２が支持されており、この止め金部分は、他方において同様に止め金部分１２に結合された接続片１３を介して、車両シートの同様に図示されていない背もたれに取付けられている。
【００２９】
揺動可能な止め金部分１２は、支持円板１４の押出しによって発生された内歯を有するリング突起１５を有し、このリング突起は、固定の止め金部分１０の案内突起１６の円になるように補充された周に支持されている。これらの案内突起１６は、図２及び２Ａからもっとも良好に明らかな実施例において、それぞれ１つの直径上に対向する切り欠きによって中断されており、これらの切り欠き内において外歯を有する２つのロック棒１７が案内されており、その際、それぞれのロック棒１７の幅広側から制御ピンが１８が出ておりかつそれぞれの制御ピン１８は、連行円板２０の制御スリット１９によって囲まれている。ロック棒１７の半径方向内方に向いた面は、カム円板がこれに係止方向に作用するばね部材５０の作用に抗して戻し揺動されていないかぎり、ばね負荷を受けたカム円板２１によって係止位置に押される。連行円板２０及びカム円板２１は、長手方向に２分割されたカラーブシュ２２によって止め金部分１０及び１２とともに軸線方向にまとめられ、このカラーブシュは、連行円板２０及びカム円板２１の範囲において外側に連行プロファイルを有し、この連行プロファイルに、連行円板２０及びカム円板２１が形状結合して整合している。このカラーブシュ２２は、その内周においてもプロファイル化されており、かつ伝達棒２３（図２Ａ）を収容するために使われ、この伝達棒は、必要な場合、一方のシート長手側に配置された係止止め金を他方のシート長手側に配置された止め金に結合する。ロック棒１７は、連行円板２０及びカム円板２１に関連して、背もたれ調節装置の１次構成部分を形成している。
【００３０】
中央範囲において係止止め金の外側を上からつかむカラーブシュ２２のカラーに、これに回転可能に支持されたブシュ状の解除アダプタ２４が続き、この解除アダプタ２４の内側のボス周は、カラーブシュ２２と同様にプロファイル化されている。この解除アダプタは、一方において半径方向に突出した解除指２５、及びこれに対して周方向に間隔を置きかつ同様に半径方向に突出した解除親指２６を有し、これらの指の機能は、さらに後に説明されている。解除アダプタ２４の外側におけるリング状の係止突起に、操作レバー２７が緩く回転可能に支持されており、この操作レバーは、解除指２５の平面内に折り曲げられた制御突起２８を有する（図１及び２）。カラーブシュ２２、伝達棒２３及び解除アダプタ２４は、背もたれ調節装置及び任意揺動装置の２次構成部分を形成している。
【００３１】
固定の係止止め金１０においてその外側に、基礎板２９が取付けられており、この基礎板においてカラーブシュ２２に対して同心的にストッパ円板３０が支持されており、このストッパ円板は、外歯を有する係止セグメント３１を有し、両側において半径方向内方に引っ込んだこの係止セグメントの端面は、ストッパ円板のリング範囲に移行しており、このリング範囲によってストッパ円板３０は、基礎板２９に回転可能に支持されている。下側範囲において基礎板から突出した支持ピン３３は、係止つめ３４を揺動可能に収容するために使われる。この係止つめ３４は、一方においてその操作のために突出したピン３５を有し、かつ他方において歯つめ３６を備え、この歯つめは、係止セグメント３１の歯部に噛み合うことができ、かつ噛み合い位置において基礎板２９に固定された板ばね３７によって保持されている。ストッパ円板３０は、力蓄積器によって前方揺動方向に負荷をかけられており、この力蓄積器は、一方において基礎板２９に保持されたリングばね３８から形成されており、このリングばねは、他方においてストッパ円板３０に作用する。さらに基礎板２９は、その上側範囲に、止め金部分１０に対して突出した保持突起３９を有し、この保持突起は、ストッパ円板３０の係止セグメント３１の揺動経路内に突出しており、かつ前方へのその揺動経路を制限する。ストッパ円板３０、これに作用を及ぼす板ばね３７を有する係止つめ３４、及びリングばね３８は、メモリ装置の１次構成部分を形成しており、これらの構成部分は、背もたれに所属の揺動可能な止め金部分１２に固定されたカバー板４０によって上からつかまれており、その際、基礎板２９とカバー板４０との間に中空空間４１が形成されており、この中空空間内にメモリ装置の１次構成部分が収納されている。揺動可能な止め金部分に結合されたカバー板４０は、他方において背もたれのための接続片１３の方に向いたその上側頂点範囲にストッパ４２を有し、このストッパは、カバー板４０の内方に曲げられた折り曲げ部によって形成されており、かつ保持突起３９の上方においてストッパ円板３０の係止セグメント３１の揺動経路内に同様に突出している。カバー板４０は、その中央にカラー入口を有し、このカラー入口は、解除アダプタ２４の外周を支持する。
【００３２】
さらに解除アダプタ２４において、一方において解除指２５及び解除親指２６の平面と他方においてカバー板４０との間に揺動アーム４３が自由に回転可能に支持されており、この揺動アームは、解除親指２６の平面内に折り曲げられかつ半径方向に突出した連行指４４を有するリング状の円板として構成されている。この連行指４４は、その自由端において、分離した操作要素４５のための関節結合位置として形成されており、その際、この操作要素は、なるべく引っ張り部材（破線で暗示した）からなり、この引っ張り部材は、快適な取り扱いのために、背もたれの上側端部に配置されたが図示されていない外しレバーに通じている。揺動アーム４３の連行指４４の操作要素４５を収容する位置に、結合リベット４６によりゲートレバー４７が回転ヒンジ状に結合されており、このゲートレバーは、他方において長穴状のゲート４８によって、係止つめ３４のピン３５を収容している。ゲート４８の上においてゲートレバー４７の自由端に、制御曲線４９があり、この制御曲線は、背もたれ傾斜調節のため及びメモリ機能のためのストッパ円板の調節のために、操作レバー２７における制御突起２８の下側によって接触することができる。操作要素４５の他に、揺動アーム４３及びゲートレバー４７は、任意揺動装置の１次構成部分を形成している。
【００３３】
図１に示された“６時位置”から、揺動可能な止め金部分１２は、ここに取付けられた接続片１３とともに、したがってこれに結合された図示しない背もたれとともに、接続片１３の破線で示すように、ほぼ７５°だけ前方及び後方に揺動することができる。この時、例えば図３Ａから明らかなように、背もたれが傾斜位置にあると、メモリ装置のストッパ円板３０及び係止つめ３４は、図３Ｂから明らかな位置にあり、この位置においてカバー板４０のストッパ４２は、ストッパ円板３０の係止セグメント３１の上側端面３２に接触している。この時、背もたれの別の傾斜位置を調節しようとする場合、操作レバー２７は、まず図４Ａから明らかな位置に揺動することができる。その際、一方において操作レバー２７の制御突起２８は、制御曲線４９を介してゲートレバー４７を下方に押し、それによりゲート４８内にある係止つめ３４のピン３５も下方に押されるので、係止つめ３４の歯つめ３６は、図４Ｂから明らかなように、係止セグメント３１の歯部から外れるように制御される。この時、操作レバー２７の解除を維持した際、シート利用者により背もたれが一方又は他方の回転方向に動かされると、止め金部分１２とともに揺動するカバー板４０のストッパ４２に上側端面３２が留まるので、この運動にストッパ円板３０の係止セグメント３１が追従する。背もたれに結合された止め金部分１２の揺動は、制御突起２８が解除アダプタの解除指２５にも接触し、かつ伝達棒２３を介して一緒に揺動する解除アダプタ２４を介してカラーブシュ２２も一緒に回転し、このカラーブシュが他方においてカム円板２１を図２Ａにおいて明らかなその位置に反して無効位置に回転しているので可能であり、その際、同時に連行円板２０も回転しているので、制御スリット１９及び制御ピン１８を介して、ロック棒１７は、背もたれに結合された止め金部分１２のリング突起１５の内側歯部から引出されている。この時、操作レバー２７を離すと、すぐにカム円板２１に作用するばね部材５０は、前記の運動経過に対して逆行する運動経過を配慮するので、例えば図５Ａから明かな位置への背もたれの揺動の後に、この位置の係止が行なわれる。その際、それからストッパ円板３０の係止セグメント３１は、図５Ｂから明らかな位置を占める。この位置を越えてストッパ円板３０は、メモリ位置を見付けるためにそれ以上前方に揺動することはない。なぜならこのストッパ円板は、この位置においてその上側端面３２によって基礎板２９の保持突起３９に接触しているからである。
【００３４】
ただしそれとは関係なく、背もたれは前方に自由に揺動することができ、このことは、次に図６Ａないし８によって説明する。図６Ａに示した接続片１３の、したがって図示しない背もたれの傾斜位置から出発して、全システムは、係止位置にある。その際、メモリ機能を引起こすストッパ円板３０は、揺動可能な止め金部分１２に結合されたカバー板４０におけるストッパ４２の前の運動のため、メモリ機能のために図６Ｂから明かな位置に動かされ、かつこの位置に拘束されている。この時、この位置において操作要素４５に、図７から明らかな矢印５１の方向における張力が生じると、揺動アーム４３の連行指４４は、操作レバー２７を動かすことなく、解除アダプタ２４の解除親指２６を例えば図７から明らかな位置に連行する。解除アダプタ２４のこの揺動運動の間に、前記のようにロック棒１７も、揺動可能な止め金部分１２のリング突起１５の歯部から引き外されるので、揺動可能な止め金部分１２は自由になり、かつ図７から明らかな位置に前方揺動することができる。その際、ストッパ円板３０の調節位置は変化せず、かつ図６Ｂ及び８から明らかな位置に留まっている。このことは、係止つめ３４のピン３５を介してゲートレバー４７のゲート４８が摺動するからである。ゲートレバー４７は、操作要素４５を介した揺動レバー４３の操作の際に形状結合をなし、この形状結合は、ストッパアングル５３に負荷がかかる際に、係止つめ３４の外れを防止するので、係止つめ３４に影響は及ぼされない。その際、揺動アーム４３に所属の連行指４４の外し行程も、ゲートレバー４７の係止フック５２によって制限される。この時、図７における矢印５１の方向に維持される引っ張られた操作要素４５の位置において、戻し揺動が行なわれると、この運動は、接続片１３が、したがって背もたれも再び図６Ａから明らかな位置を占めるまで、行なうことができる。しかしながら前に、例えば図９に示すように、図９に破線で示す前方揺動位置から矢印５４の方向にある接続片１３が、図９により実線で示す位置に達し（例えば車両後部シートにおける係止された対象物のために背もたれのロックにより）、かつそれから操作要素の操作が中断されるまで、戻し揺動される場合、すぐに再び図２Ａから明かな係止が行なわれる。それにより操作要素４５を、したがって揺動アーム４３を離した後に、背もたれは常にロックされている。この時、操作要素を改めて操作することにより、メモリ機能によって記憶されかつ図６Ａに示されたストッパ位置は、前に背もたれのロックが取り除かれたとき、再び達成することができる。なぜなら操作要素４５の解除を介して、ストッパ円板３０のメモリ機能は変わらないからである。しかしながら背もたれの別の傾斜位置を調節しようとする場合、操作レバー２７は、図４Ａから明らかな位置に動かすことができ、それにより一方において揺動可能な止め金部分１２がロック棒１７を介して係止解除され、かつ他方において係止つめ３４は外されるので、ばね負荷を受けたストッパ円板３０は、揺動可能な止め金部分１２に固定的に結合されたカバー板４０のストッパ４２に接触し、かつ後方に揺動する際に全揺動範囲にわたってこのストッパ４２の運動に追従し、かつ基礎板２９の保持突起３９にまでだけ前方への揺動に追従し、ここに接触するようにする。
【００３５】
図１０−１３に示された係止止め金の実施例において、これは、再び固定の止め金部分１０からなり、この止め金部分は、取付け片１１に固定的に結合されており、この取付け片は、他方において図示しない車両シートのシート部分フレームに接続される。この固定の止め金部分１０に、背もたれに所属の揺動可能な止め金部分１２が支持されており、この止め金部分は、他方において同様に止め金部分１２に結合された接続片１３を介して、同様に図示しない車両シートの背もたれに取付けられている。
【００３６】
両方の止め金部分の間に、背もたれ調節装置が設けられており、この背もたれ調節装置の構成は、例えば図２Ａから引出すことができる。重要なことは、固定の止め金部分に対する揺動可能な止め金部分が、したがってシート部分に対する背もたれ部分が、背もたれの全揺動範囲において固定可能であるということである。この調節及び外しは、伝達棒２３を介して第２のシート止め金にも伝達しなければならない。この調節、外し及び固定は、解除アダプタ２４を介してその回転の際に行なわれる。
【００３７】
両方の止め金１０、１２は、穴を備え、この穴内に２分割されたカラーブシュ２２が噛み合っており、このカラーブシュの外周において、固定及び揺動可能な止め金部分１０又は１１が互いに回転可能である。
【００３８】
カラーブシュ２２は、丸くない内側通口を有し、この通口内に、この実施例において管状の伝達棒２３が、カラーブシュに回らないように支持されている。この伝達棒２３は、車両シートの第２の係止止め金に通じている。
【００３９】
伝達棒２３の継続部においてカラーブシュ２２に続いて解除アダプタ２４が設けられている。この解除アダプタは、一部の範囲において伝達棒を上からつかみ、かつこれに回らないように結合されている。解除アダプタ２３は、その外周にスリーブ６２を支持し、その際、スリーブの両方の端面は、一方において止め金部分１０に、他方において解除アダプタ２４のカラー６３に支持されている。
【００４０】
スリーブ６２の外周に回転可能に、制御円板６４、係止円板６５及びゲート円板６６が設けられている。制御円板と可動の止め金部分１２との間に、固定の止め金部分１０に固定された基礎板２９がある。
【００４１】
制御円板６３は、半径方向に延びたセグメント状の延長部６８を有し、この延長部に歯状の切り欠き６９が設けられている。この切り欠き６９内にロックつめ７１の歯７０が噛み合っている。このロックつめは、保持ピン７２上に揺動可能に支持されており、その際、保持ピン７２は、他方において基礎板２９に固定的に設けられている。
【００４２】
制御円板６４が折り曲げ部７３を有し、この折り曲げ部が引っ張りばね７４の支持位置として使われることを、なおここで述べておく。引っ張りばね７４の別の支持位置は、ゲート円板６６の延長部７５に設けられている。
【００４３】
ゲート円板６６は、ゲート案内部７６を備え、このゲート案内部内に係止つめ３４のピン３５が噛み合っている。係止つめ３４は、揺動可能に支持ピン３３上に設けられている。この支持ピン３３は、制御円板６４に取付けられている。引っ張りばね７４によって、ゲート円板及び制御円板がばねによって互いに負荷をかけられているので、ピン３５が初期位置においてゲート案内部７６の一方端部に設けられていることが達成される。係止つめ３４は、歯つめ３６を備えている。この歯つめ３６は、係止円板６５の端面歯部７７に噛み合っている。
【００４４】
ゲート案内部７６におけるピン３５の初期位置において、歯つめ３６の歯部は端面歯部７７に噛み合っている。ピン３５の別の端部位置において、歯つめは、端面歯部７７から持ち上げられている。メモリ装置：すなわち係止円板及び揺動可能な止め金部分は、係止円板６５の周が切り欠き７８を有し、この切り欠き内に接続片１３の係止部分７９が噛み合っているので、一緒に調節することができる。それ故に背もたれの揺動運動の際に、係止円板６５は一緒に動く。メモリ装置の調節の際、制御円板６４及びゲート円板６６の一緒の回転は行なわれない。ゲート円板６６の回転によって、係止円板６５及び止め金部分１２の揺動可能性が可能になるだけである。
【００４５】
任意揺動装置において円板６４、６５及び６６の一緒の回転が行なわれる。
【００４６】
解除アダプタ２４のカラー６３とゲート円板６６との間に、円板状の揺動アーム４３が設けられている。この揺動アームは、指４４において、背もたれの任意揺動のために設けられた操作要素４５のための取付け位置６０を有する。
【００４７】
この実施例において揺動アーム４３は、なお揺動アーム４３の平面内にある隆起部８０を備え、この隆起部に連結部８１が回転ヒンジ状に配置されている。連結部８１の第２の関節位置は、固定ピン８２に関節状に結合されており、この固定ピンは、他方においてロックつめ７１に取付けられている。操作要素４５の操作の際、連結部８１を介してロックつめ７１は、その歯７０が制御円板６４の歯状の切り欠き６９との噛み合いから外れるように揺動する。それから背もたれの揺動運動の際、この歯７０は、制御円板６４の外周において摺動し、その際、操作要素４５は、この実施例において釈放することができる。したがって背もたれの任意揺動運動が可能である。戻し方向運動が導入されると、すぐに背もたれは、歯７０が弾性的に歯状の切り欠き６９内に落ち込むまで戻すことができる。
【００４８】
揺動アーム４３は、回転運動の導入の際にばね負荷を受けた解除アダプタ２４が回転するので、ばね負荷を受けている。ばね部材５０は、解除アダプタにその初期位置の方へ負荷をかけている。このばね負荷は、戻し揺動の際に歯が歯状の切り欠きに至るときに、連結部８１を介して歯７０を歯状の切り欠き６９内に引き戻す。
【００４９】
すでに述べたように、この力蓄積器から解除アダプタ２４も作用を受けている。力蓄積器は、背もたれ調節部のばね部材５０によって形成される。そのために次のことを述べておく。操作装置４５の操作の際に、揺動アーム４３は回転する。そのために揺動アーム４３における連行指の脚に連行ピン６１が設けられている。揺動アーム４３の回転の際に連行ピン６１（図１−９における実施例において解除親指）は、解除アダプタカラー６３の延長部８３に当たる。それにより解除アダプタ２４は、伝達棒２３と一緒に回転する。カム円板２１（図２Ａ）の回転によって、ばね部材５０は、背もたれ調節のロック解除しながら緊張する。
【００５０】
解除アダプタ２４のカラー６３は、なお半径方向に延びた延長部８３を装備している。この延長部は、弧状に延びた切り欠き８４を有する。この切り欠き８４内に、操作レバー２７に回らないように配置された板状の中間部材８６の突起８５（第１の実施例における解除指）が噛み合っている。その際、操作部材２７の揺動運動の際に、突起８５は、解除アダプタの弧状の切り欠き８４内において摺動し、かつばね部材５０の応力を受けかつ背もたれ調節を可能にしてこれを回転する。
【００５１】
突起８５に対向する中間部材８６の他方の端部に、ストッパ８７が設けられている。ストッパ８７は、アングルレバー８８として形成された連行レバー９５と共同作用し、この連行レバーは、ロックつめ７１のためのピン７２上に揺動可能に配置されている。アングルレバー８８は、その一方の脚９１に制御面８９を、かつ係止面９０を有する。他方の脚９２は、係止収容部１０１を備えている。
【００５２】
中間部材８６とともに操作部材２７を回転した際に、ストッパ８７は制御面８９に至る。アングルレバー８８は、第２の脚９２がその係止収容部によって連結部８１の固定ピン８２に当たるので、連結部８１が固定ピン８２を、したがってロックつめ７１を動かすことができないように、回転運動を行なう。このようにして操作要素４５の運動はロックされており、換言すれば、任意揺動は不可能である。
【００５３】
一方においてアングルレバー８８にかつ他方においてロックつめ７１に作用する翼ばねによって、アングルレバーの優先位置が生じ、換言すれば、操作部材を釈放した際に、ストッパ８７は、制御面８９から離れる。
【００５４】
ここにおいてなお、アングルレバー８８の脚９１がなおゲート円板６６に向けられた段部９３を有し、この段部がゲート円板６６における高所９４と共同作用し、操作レバー２７の運動の際にこの高所が制御面８９を介して引っ張りばね７４の応力を受けてゲート円板を回転させるようにすることを付け加えておく。ゲート案内部は動かされ、かつ係止つめ３４は、係止円板６５の歯部７７との噛み合いを外される。背もたれの揺動の際に、メモリ装置は、この時、新しい位置を記憶することができる。（係止つめによる係止円板の釈放、係止円板の一緒の回転、それから係止円板の歯部への係止つめの噛み合い）。
【００５５】
固定の止め金部分１０と揺動可能な止め金部分１２との間において、強力なばねが作用し、このばねは、背もたれの前方揺動の方向に背もたれに負荷をかけ、このことは、ばねが、背もたれを前方にシート面の方へ負荷をかけることを意味する。
【００５６】
このばねは、メモリ装置が操作されるときにも、揺動可能な止め金部分１２及び固定の止め金部分１０に負荷をかけ、このことは、シートにおける利用者が操作レバーを緩め、かつ続いてその上体を前にかがめ又は後に曲がることによって、背もたれ調節を変えることができることを意味している。操作レバー２７の釈放の際、それからこの位置は、メモリ装置において記憶されたままになる。
【００５７】
操作要素４５を動かすと、ロックつめが揺動する。この揺動運動にアングルレバー８８が一緒に追従するので、今度は、中間部材８６のストッパ８７が、係止面９０に当たるようになり、このことは、この時、操作レバー２７を介した背もたれ調節が不可能であることを意味する。メモリ装置は、その調節位置において変化することはできない。
【００５８】
ロックつめ７１の保持ピン７２におけるアングルレバー８８（図１０−１２）の代わりに、図１３−１５の実施例において、簡単な揺動可能な連行レバー９５が設けられており、この連行レバーは、引っ張りばね９６によって、ロックつめ７１及び連結部８１の固定ピン８２の方に負荷をかけられている。引っ張りばねの第２の端部は、固定位置９７において連行レバーに配置されている。したがってレバー９５は、いつも固定ピン７２の方向に負荷をかけられる。連行レバー９５は、なおピン９９を有する。このピンは、操作レバーの中間部材８６の運動経路内にある。この時、操作レバーをさらに動かす際、連行レバーは回転し、かつゲート円板における高所９４に当たり、かつこれを回転させるので、係止つめ３４の歯つめ３６は、係止円板６５の端面歯部７７との噛み合いから外れる。
【００５９】
この位置において操作要素４５を操作した際、引っ張りばね９６の力に打勝ったときに、連結部８１は、歯７０を歯状の切り欠きから出すことしかできない。逆に任意揺動及び操作要素の操作の際、高所を有する連行レバーは、中間部材の運動経路内にないので、係止つめの操作は生じないと言うこともできる。
【００６０】
図１０−１２及び図１３−１５の実施例の間の相違点は、大体において特殊なアングルレバー８８が、一般的に形成された連行レバー９５に置き換えられたことにある。
【００６１】
図１３に、係止止め金の初期位置が示されている。再び初期位置においてロックつめ７１の歯７０は、制御円板６４の歯状の切り欠き６９内にある。その上さらに係止つめ３４の歯つめ３６は、係止円板６５の端面歯部７７にある。揺動可能な止め金部分１２（背もたれ）は、固定の止め金部分１０（車両シートのシート部分）に対して不動である。
【００６２】
図１４において、背もたれに固定された操作要素４５が操作されている。それにより連行ピン６１を有する揺動アーム４３は、弧状の切り欠きを有するアダプタ延長部８３を揺動する。この切り欠きに突起８５が噛み合っており、この突起は、配置された中間部材８６の操作レバー２７に回らないようになっている。
【００６３】
前の実施例におけるように、揺動アーム４３は隆起部８０を備え、この隆起部内に回転ヒンジ状に連結部８１が噛み合っており、その第２の関節位置は、固定ピン８２に固定されており、その際、この固定ピン８２は、ロックつめ７１に取付けられているので、連結部８１の運動の際に、ロックつめ７１の歯７０は、制御円板の歯状の切り欠き６９から脱出する。この時、揺動可能な止め金部分１２は、固定の止め金部分１０に対して揺動することができる。背もたれは、自動車のシート面に対して動かすことができ、その際、強力なコイルばねは、自動的にシート部分を前方に動かす。歯７０は、この揺動運動の際に制御円板６４の周面上において摺動する。
【００６４】
すでに述べたように、この実施例において操作要素は、背もたれの任意揺動運動を停止することなく、離すことができる。
【００６５】
戻し運動も導入することができる。これは、弾性的に支持されたロックつめの歯が歯状の切り欠き６９に噛み合うまで行なわれる。操作要素にもう一度負荷がかけられる場合、例えば自動車の後部シートの方への背もたれの戻し揺動を行なうことができる。操作要素は、後方運動の際に引っ張られたままでもよいことは明らかである。
【００６６】
ここにおいてなお、固定ピン８２が引っ張りばね９６を有し、この引っ張りばねの第２の端部が固定位置９７において連行レバー９５に取付けられていることに注意する。ロックつめ７１の揺動運動の際、連行レバー９５は操作レバー２７の運動経路から外へ動くので、自動車シートの背もたれのメモリ調節の調節はもはや不可能である。
【００６７】
この時、操作要素４５が図１、１１、１２又は１３におけるその初期位置にある後に、操作レバー２７が、操作部材２７によって動かされ、この操作部材が連行レバー８５の突起９９に当たると、この突起は、ゲート円板６６の高所９４に当たるので、操作レバーをそれ以上動かした際にゲート円板が回転する。ゲート案内部７６内に設けられたピン３５は、さらにこの案内部７６内において摺動し、かつその際、係止つめ３４を揺動するので、係止つめ３４の歯つめ３６は、係止円板６５の端面歯部との噛み合いから外れる。この時、揺動可能な背もたれは、係止つめ３４の歯つめ３６が係止円板の端面歯部７７の別の位置に作用するように、係止円板６５とともに回転することができる。操作部材２７を釈放した際、操作レバーは、図１３に示す位置に揺動する。
【００６８】
要約すれば、任意揺動運動の際に、制御円板、係止円板及びゲート円板は、一緒に動かされるが、一方操作レバー２７の操作の際−メモリ装置の調節−、ゲートレバーが単独で回転することに注意する。この時、背もたれが揺動すると、係止円板は一緒に回転するが、一方制御円板及びこの時、係止つめは、その占めた位置に留まる。
【００６９】
図１６に、歯状の切り欠き６９内への歯７０の噛み合い位置が示されている。この位置は、初期位置として任意揺動運動及びメモリ装置（図１３）にとって有効である。選択に応じて、任意揺動装置又はメモリ装置の両方の調節を開始することができる。
【００７０】
任意揺動のために操作要素４５を操作すると、揺動アーム４３は、解除アダプタ２４を連行して動く。連結部８１は、ロックつめ７１を図１７に示した位置に移す（図１４参照）。揺動可能な止め金部分は、したがって背もたれは、両方の揺動方向に動かすことができる。操作要素を釈放した際、歯７０は、揺動の際に歯状の切り欠き６９（図１６）内に落下する。図１４がなお示すように、連行レバー９５は、操作レバー２７の運動経路内に配置されていない。図１３に示した初期位置から出発して、操作レバー２７の運動の際、再び解除アダプタ２４が動かされる。操作部材２７は、ばね負荷を受けた連行レバー９５を揺動する。これは、ゲート円板６６の高所９４に当たり、かつこれを回転する。ゲート案内部７６によって係止つめ３４の歯つめ３６は、係止円板６５の端面歯部７７から離れる（図１５参照）。背もたれは、係止円板とともに回転することができる。操作レバー２７を釈放した際、係止つめは再び端面歯部内に噛み合うので、背もたれのこの位置は記憶されている。この新しい位置から、再び任意揺動を行なうことができる。
【００７１】
操作レバー２７の他に、係止円板６５及びゲート円板６６は、メモリ装置の１次構成部分を形成している。
【００７２】
操作要素４５の他に、揺動アーム４３、歯７０を有するロックつめ７１及び制御円板６４は、任意揺動装置の１次構成部分を形成している。
【００７３】
すでに述べたように、本発明の図示しかつ前に説明した構成は、例として再現しただけであり、本発明の対象は、どのような場合にもこれだけに限定されるものではない。このようにして係止止め金によって行なうべきあらゆる種類の背もたれ調節を、メモリ装置及び任意揺動装置と組合せて利用することが可能である。その上さらになお本発明の対象のいろいろな変更及び別の構成を考えることができる。さらに明細書及び図面から明らかなすべての特徴は、これらが特許請求の範囲に明確に請求されていなくとも、本発明にとって重要である。
【図面の簡単な説明】
【図１】  係止止め金をその外側の方向において見た図である。
【図２】  図１から明らかな係止止め金を示す図１の線ＩＩ−ＩＩに沿った長手断面図である。
【図２Ａ】  係止止め金を示す図２の線ＩＩＡ−ＩＩＡに沿った横断面図である。
【図３Ａ】  係止止め金の外側を示す図であり、その際、背もたれに所属の止め金部分は、操作レバーを解除する前の使用するために適した傾斜位置にある。
【図３Ｂ】  解除アダプタ、ゲートレバー及び揺動アームを含み、カバー板を取り外しかつ操作レバーを取り除いた際の図３Ａから明かな係止止め金を示す図であり、その際、ストッパ円板は、固定されたメモリ位置にある。
【図４Ａ】  図３Ａから明かな係止止め金を示す図であるが、その際、前方揺動運動を始めるために操作レバーは解除位置に揺動されている。
【図４Ｂ】  図４Ａから明かな係止止め金を示す図であり、その際、再びカバー板、解除アダプタを有する操作レバー、ゲートレバー及び揺動アームは取り除かれており、ゲートレバーを押したためストッパ円板が係止解除されている。
【図５Ａ】  図４Ａから明かな係止止め金を、図４Ａに対してわずかに前方揺動された位置において改めてロック位置において示す図である。
【図５Ｂ】  カバー板を取り外しかつ再び操作レバー及び解除アダプタを取り除いた際の図５Ａから明らかな係止止め金を示す図であり、その際、図５Ａから明かな傾斜位置においてストッパ円板は、ばね力のために基礎板のストッパに向かって揺動されている。
【図６Ａ】  メモリ装置のストッパ円板を係止した際に前方揺動運動を釈放するために解除アダプタを回転連行するために分離した操作要素を操作する前に、再び使用に適した傾斜位置にある係止止め金を示す図である。
【図６Ｂ】  再びカバー板を取り外しかつ操作レバー及び解除アダプタを取り除いた際の図６Ａから明かな係止止め金を示す図であり、その際、ストッパ円板は、その調節されたメモリ位置に係止されている。
【図７】  背もたれに結合された止め金部分の任意に前方揺動された位置における図６Ａから明かな係止止め金を示す図である。
【図８】  カバー板を取り外し、操作レバー、解除アダプタ、ゲートレバー及び揺動アームを取り除いた際の図７による任意に前方揺動した位置にある係止止め金を示す図であり、その際、ストッパ円板はメモリ位置において係止されている。
【図９】  図８から明らかな係止止め金を示す図であり、その際、背もたれに所属の止め金部分は、座るに適した背もたれ傾斜位置に達しておらず、かつ図示した位置において、分離した操作要素を離したためこの位置において係止されている。
【図１０】  係止止め金の別の実施例を示す断面図である。
【図１１】  係止止め金の側面図である。
【図１２】  係止止め金の斜視図である。
【図１３】  係止止め金の別の実施例において操作レバー及び操作要素の初期位置を示す図である。
【図１４】  任意揺動位置にある係止止め金を示す図である。
【図１５】  背もたれ調節における係止止め金を示す図である。
【図１６】  ロックつめの一部を拡大して示す図である。
【図１７】  ロックつめの別の位置を拡大して示す図である。
【図１】
0003740606.tif 000002
【図２】
0003740606.tif 000003
【図２Ａ】
0003740606.tif 000004
【図３Ａ】
0003740606.tif 000005
【図３Ｂ】
0003740606.tif 000006
【図４Ａ】
0003740606.tif 000007
【図４Ｂ】
0003740606.tif 000008
【図５Ａ】
0003740606.tif 000009
【図５Ｂ】
0003740606.tif 000010
【図６Ａ】
0003740606.tif 000011
【図６Ｂ】
0003740606.tif 000012
【図７】
0003740606.tif 000013
【図８】
0003740606.tif 000014
【図９】
0003740606.tif 000015
【図１０】
0003740606.tif 000016
【図１１】
0003740606.tif 000017
【図１２】
0003740606.tif 000018
【図１３】
0003740606.tif 000019
【図１７】
0003740606.tif 000020
【図１４】
0003740606.tif 000021
【図１６】
0003740606.tif 000022
【図１５】
0003740606.tif 000023